(57)【要約】      （修正有）【課題】コースターの本来の機能を有すると共に、表面に記載した図柄によって玩具的要素を加えて、楽しみながら使用できるコースターを提供する。【解決手段】正方形のコースター１であり、四辺の少なくとも１辺に係合手段１２、１３、１４・・を構成し、前記係合手段を、同形状の他のコースターと係合可能な係合手段と係合可能にし、かつ表面１ａあるいは裏面の一方又は両方に図柄５１を構成し、前記図柄を線路、道路等の長尺物の一部によって構成した。【選択図】図１
2020130785.tif 000002
【特許請求の範囲】
【請求項１】
正方形のコースターであり、四辺の少なくとも１辺に係合手段を構成し、前記係合手段を同形状の他のコースターの係合手段と係合可能にしたことを特徴とするコースター。
【請求項２】
前記請求項１記載のコースターの表面あるいは裏面の一方又は両方に図柄を記載し、前記図柄を線路、道路等の長尺物の一部によって構成したことを特徴とするコースター。
【請求項３】
前記請求項２記載のコースターを複数個構成し、各コースターの表面にそれぞれ同一長尺物の一部の図柄を記載し、前記複数個のコースターを前記係合手段によって連結することで、前記表面に記載した図柄が連続した長尺物を構成することを特徴とするコースター。
【請求項４】
前記請求項１記載のコースターを複数個構成し、各コースターの表面にそれぞれ連続した線路の一部の図柄を記載し、前記複数個のコースターを前記係合手段によって連結することで、前記表面に記載した図柄が連続した線路を構成することを特徴とするコースター。
【発明の詳細な説明】
【技術分野】
【０００１】
本発明は、各種コップ等の容器を安定的に載置すると共に、線路等の図柄を表面に配して複数のコースターを統一的に使用できるコースターに関する。
【背景技術】
【０００２】
飲料用のコップ等を載置するコースターは、コップ等の底面が水滴によって離れにくくなるのを防止するために、コースター表面を凹凸にする等の考案が提供されていた。例えば特許文献１として示す実用新案登録第３０２４２２５号がある。
【０００３】
前記特許文献１は、本革よりなるコースターの表面に対して接着フイルムを重合し、その上部に天然押し花とビーズを適宜の配設によって載置し、その表面に透明樹脂保護層を重合被着することによって装飾価値を高めると共に、載置するコップ等とコースターとの接合分離を容易にするものである。
【先行技術文献】
【特許文献】
【０００４】
【特許文献１】実用新案登録第３０２４２２５号公報
【０００５】
前記特許文献１のコースター本体（１）は、所定の厚さに着色された本革（２）で形成され、この本革（２）の上部表面全体に熱で融着する接着フイルム（３）を重合する。この接着フイルム（３）の上面の所定位置に各種類の天然押し花（５）を載置配設し、この表面に透明樹脂保護層（７）を被着押圧重合して、表面に天然押し花（５）による凹凸模様の隆起部（８，８）を形成する。また、天然押し花（５，５）の間に各種類の着色された多数の粒子等のビーズ（６，６……）を配設載置して表面に凹凸を設けるものである。
そして、容易に水分を浸透したり、図柄模様が汚染されたり剥がれたりする等の憂いがない効果と、表面が隆起部と凹凸部とによって立体的に美しく表現され、長期間に亘って使用できる効果がある。
【発明の概要】
【発明が解決しようとする課題】
【０００６】
しかしながら、特許文献１のコースターは、１枚のコースターを単独でしか使用できず、かつ表面の天然押し花とビーズの図柄模様も構成が複雑でありコースターとしての特長を有するものではなかった。
【０００７】
本発明は、コースターの本来の機能を有していることは勿論のこと、その構成あるいは表面に記載した図柄によって玩具的要素を加えて、簡単な構成であり楽しみながら使用できるコースターを提供することを目的とする。
【課題を解決するための手段】
【０００８】
本発明は、正方形のコースターであり、四辺の少なくとも１辺に係合手段を構成し、前記係合手段を同形状の他のコースターの係合手段と係合可能にしたコースターである。
【０００９】
本発明は、請求項１のコースターの表面あるいは裏面の一方又は両方に図柄を記載し、前記図柄を線路、道路等の長尺物の一部によって構成したコースターである。
【００１０】
本発明は、請求項２のコースターを複数個構成し、各コースターの表面にそれぞれ長尺物の一部の図柄を記載し、前記複数個のコースターを前記係合手段によって連結することで、前記表面に記載した図柄が連続した長尺物を構成するコースターである。
【００１１】
本発明は、請求項１記載のコースターを複数個構成し、各コースターの表面にそれぞれ連続した線路の一部の図柄を記載し、前記複数個のコースターを前記係合手段によって連結することで、前記表面に記載した図柄が連続した線路を構成するコースターである。
【発明の効果】
【００１２】
請求項１のコースターによれば、四辺の少なくとも１辺に同形状の他のコースターを係合できるから、複数のコースターを結合して拡張して使用することができるため、自己の飲み物や食べ物が分かりやすく、かつ卓上のマットの代わりになる。
【００１３】
請求項２のコースターによれば、表面あるいは裏面の一方又は両方に、線路、道路等の長尺物の一部の図柄を記載したから、意外性に富み興趣に尽きない。また特に自己の趣味に合わせた図柄を記載することができ、コースターに愛着がわくとともに楽しみが増す。
【００１４】
請求項３のコースターによれば、前記コースターを複数個構成し、各コースターの表面にそれぞれ同一長尺物の一部の図柄を統一して記載し、これらの各コースターを前記係合手段を介して連結することで図柄が連続するため、当該長尺物の全体が表現できて楽しめる。
【００１５】
請求項４のコースターによれば、各コースターの表面に記載する図柄を連続する線路の一部としたため、これらの各コースターを前記係合手段を介して連結することで線路が連続するため、特に鉄道ファンには楽しいものとなる。またコースターの線路の上をおもちゃの電車を走らせることもできて自分のジオラマで遊ぶようであり興趣に尽きない。
【図面の簡単な説明】
【００１６】
【図１】本発明の実施形態１のコースターの平面図
【図２】本発明の実施形態１のコースターの底面図
【図３】本発明の実施形態２のコースターの平面図
【図４】本発明の実施形態３のコースターの平面図
【図５】本発明の実施形態４のコースターの平面図
【図６】本発明の実施形態５のコースターの平面図
【図７】本発明の各コースター使用状態の一例を示す平面図
【図８】本発明の実施形態１のコースターの一部拡大側面図
【００１７】
（実施形態１）
次に本発明のコースターの実施形態について説明する。
実施形態１のコースター１は、図１、図２に示すように正方形状であり、四辺の各辺に同一形状の係合手段を構成している。この係合手段は、複数の係合凸部１２、１４、１４・・と係合凹部１３、１３、１３・・を交互に配置した構成である。
以下に示す他の実施形態のコースター２、３、４、５、６も前記実施形態１と同形状である。そのため、前記係合手段は、四辺の各々の係合手段が他のコースター２、３、４、５、６の各々の四辺の係合手段と着脱自在に係合することができる（図７参照）。
【００１８】
コースター１の表面１ａに連続した線路の一部の図柄５１が記載されている。そして、裏面１ｂは図２に示すように図柄は記載されていないが、表面１ａと同様のあるいは異なった任意の図柄を記載しても良い。表面１ａと裏面１ｂの両面に図柄を記載した場合は、後述のようにコースターを連結するときに適宜表面と裏面を使用できるため選択の範囲が広まる。
【００１９】
前記図柄は、本実施形態では線路の一部を記載したが、それ以外にも道路、下水管、川、電車等の長尺物の一部を記載することができる。すなわち複数のコースターに長尺物の一部を記載して、それらのコースターを係合して連結することで、複数のコースター上に長尺物の全体が表されるのである。
【００２０】
図８に示すように、コースター１の材質は表面１ａと裏面１ｂがコルク材であり、中心部１ｃが発泡スチロールである。これは、コルク材が吸水性を有するためコップ等の底部の水分を吸収してコップ等の底部と離れやすくするためである。発泡スチロールは強度を保つためである。このように本実施形態のコースター１は構成が簡易ながら堅牢で使いやすい。前記材質は本実施形態に限定されず他のものでもよい。例えば、プラスチック、紙、皮革などである。
【００２１】
上記のように構成したコースター１は、１枚で使用することができる。表面１ａのコルク材が水分を吸収するためコップ等の底面に付着しないため使いやすく長持ちする。また係合手段の形状が斬新であり意匠的な美感を生じさせると共に、線路の図柄が意表をついて面白く、特に鉄道ファンには楽しいものとなる。
【００２２】
（他の実施形態）
実施形態２〜５のコースター２〜５は、図柄以外は前記実施形態１と同構成である。図３に示す実施形態２のコースター２の図柄５２は、線路の分岐点を表すものである。図４に示す実施形態３のコースター３の図柄５３は、カーブしている線路を表すものである。図５に示す実施形態４のコースター４の図柄５４は、交差した線路を表すものである。図６に示す実施形態５のコースター５の図柄５５は、線路の終点を表すものである。図７に示す実施形態６のコースター６は、前記実施形態１と同構成であり表面６ａに図柄を記載していないものである。
【００２３】
コースターを複数使用する場合は、コースター１、２、３、４、５、６を適宜数構成して、それぞれの表面１ａ、２ａ、３ａ、４ａ、５ａにそれぞれ異なった線路の図柄５１、５２、５３、５４、５５を記載する。これらの図柄５１、５２、５３、５４、５５は互いに関連しているものであるから、これらの図柄を連結することで、図７のように連続したコースター上に連続した線路の図柄が構成される。図柄は任意に選択できるため、線路を広げてジオラマ風にして、線路の図柄５１、５２、５３、５４、５５の上におもちゃの電車を走らせて遊ぶことができる。組み合わせは自己の好みによって変更、拡張できるため興趣に尽きない。また、壁掛けとすることもできる。
【００２４】
さらにコースターの本来の目的としては、１個のコースター１の表面１ａに１個のコップを置くが、コースターを２個連結すれば、他の飲み物あるいはつまみなどを置くことができる。このようにコースターを増やすことで、自己の飲み物やつまみなどが分かりやすくなり、お皿やマットの代わりとなる等の効果を奏する。
【符号の説明】
【００２５】
１、２、３、４、５、６  コースター        １ａ  表面      １ｂ  裏面
１２、１４、  係合凸部                １３  係合凹部
５１、５２、５３、５４、５５    図柄
【図１】
2020130785.tif 000003
【図２】
2020130785.tif 000004
【図３】
2020130785.tif 000005
【図４】
2020130785.tif 000006
【図５】
2020130785.tif 000007
【図６】
2020130785.tif 000008
【図７】
2020130785.tif 000009
【図８】
2020130785.tif 000010